(57)【要約】      （修正有）【課題】便器洗浄タンクの防露材と便器本体との固定部分において、水の浸入に起因する不具合を防止することができる水洗式大便器を提供する。【解決手段】水洗式大便器Ａは、便鉢部が形成された便器本体Ｂと、便鉢部に吐水される洗浄水を貯留するための便器洗浄タンクＣとを備え、便器洗浄タンクＣは、内部に洗浄水が貯留されるタンク本体７６と、タンク本体７６を包囲するように設けられた防露材７７と、防露材７７に対し隙間なく一体化した形態であって便器本体Ｂに固定される固定部材６４Ｆとを備えて構成されている。【選択図】図５
2014114629.tif 000002
【特許請求の範囲】
【請求項１】
便鉢部が形成された便器本体と、
前記便鉢部に吐水される洗浄水を貯留するための便器洗浄タンクとを備えた水洗式大便器であって、
前記便器洗浄タンクは、
内部に洗浄水が貯留されるようになっているタンク本体と、
前記タンク本体の少なくとも一部を包囲するように設けられた防露材と、
前記防露材と一体化された形態であり、前記便器本体に固定される固定部材とを備えて構成されていることを特徴とする水洗式大便器。
【請求項２】
前記便器洗浄タンクの少なくとも一部が、前記便器本体内における前記便鉢部よりも下方の空間に収容されていることを特徴とする請求項１記載の水洗式大便器。
【請求項３】
前記固定部材は、前記便器洗浄タンクを床面から浮かせるように前記便器本体に固定されていることを特徴とする請求項１又は請求項２記載の水洗式大便器。
【請求項４】
前記防露材と前記固定部材が、インサート成形によって一体化されていることを特徴とする請求項１ないし請求項３のいずれか１項に記載の水洗式大便器。
【請求項５】
前記タンク本体を下面側から支えるように配され、前記固定部材が一体化されていて前記防露材を構成する下側断熱部材と、
前記タンク本体の上面側に被せられ、前記便器本体側の受け部に対して下から当接又は接近して対向するように配され、前記防露材を構成する上側断熱部材とを備えていることを特徴とする請求項１ないし請求項４のいずれか１項に記載の水洗式大便器。
【発明の詳細な説明】
【技術分野】
【０００１】
本発明は、水洗式大便器に関する。
【背景技術】
【０００２】
特許文献１には、便鉢部が形成された便器本体と、便鉢部に吐水される洗浄水を貯留するための便器洗浄タンクとを備えた水洗式大便器が開示されている。便器洗浄タンクは、内部に洗浄水の貯水空間を有するタンク本体と、タンク本体を包囲して結露防止を図る防露材とを備えて構成されている。そして、便器洗浄タンクを便器本体に固定する手段として、便器本体に設けた載置台に防露材の鍔を載置し、この鍔の上に固定部材を重ね、固定部材を載置台に引っ掛け、鍔を載置台と固定部材との間で上下に挟む構造がとられている。
【先行技術文献】
【特許文献】
【０００３】
【特許文献１】特開２００３−２０１７２９号公報
【発明の概要】
【発明が解決しようとする課題】
【０００４】
上記の固定構造では、防露材と固定部材とが別体をなしている。そのため、便器洗浄タンクを便器本体に固定する際には、防露材を便器本体（載置台）に組み付ける工程と、固定部材を便器本体（載置台）に組み付ける工程とを別々に行わなければならず、作業性が良くない。
【０００５】
本発明は、上記従来の実情に鑑みてなされたものであって、便器洗浄タンクを便器本体に固定する際の作業性向上を図ることを解決すべき課題としている。
【課題を解決するための手段】
【０００６】
本発明の水洗式大便器は、
便鉢部が形成された便器本体と、
前記便鉢部に吐水される洗浄水を貯留するための便器洗浄タンクとを備えた水洗式大便器であって、
前記便器洗浄タンクは、
内部に洗浄水が貯留されるようになっているタンク本体と、
前記タンク本体の少なくとも一部を包囲するように設けられた防露材と、
前記防露材と一体化された形態であり、前記便器本体に固定される固定部材とを備えて構成されていることを特徴とする。
【発明の効果】
【０００７】
この水洗式大便器は、固定部材が防露材と一体をなしているので、固定部材を便器本体に固定すれば、防露材が便器本体に固定される。したがって、防露材を便器本体に組み付ける工程と固定部材を便器本体に組み付ける工程とを別々に行う場合に比べると、本発明は、工数が少ないので、作業性に優れている。
【図面の簡単な説明】
【０００８】
【図１】実施例１の便器洗浄タンクを斜め前方から視た斜視図
【図２】便器洗浄タンクを斜め後方から視た斜視図
【図３】水洗式大便器の断面図
【図４】水洗式大便器の平面図
【図５】便器洗浄タンクの前端部を便器本体に固定する構造をあらわす部分拡大断面図
【図６】便器洗浄タンクの後端部を便器本体に固定する構造をあらわす部分拡大断面図
【図７】防露材を構成する上側断熱部材の斜視図
【図８】タンク本体を構成する第２貯水ケースの斜視図
【図９】防露材を構成する下側断熱部材の斜視図
【発明を実施するための形態】
【０００９】
本発明の水洗式大便器は、
前記便器洗浄タンクの少なくとも一部が、前記便器本体内における前記便鉢部よりも下方の空間に収容されていてもよい。
本発明は、便器本体内における便鉢部の下方に、便座の高さ、便鉢部の水面高さ、封水部の貯水量等の設計条件に起因する空間（デッドスペース）が存在することに着眼し、この空間に便器洗浄タンクの少なくとも一部を収容した。本発明によれば、デッドスペースを有効活用したので、水洗式大便器を大型化しなくても、便器洗浄タンクの貯水容量を増やすことができる。
【００１０】
本発明の水洗式大便器は、
前記固定部材は、前記便器洗浄タンクを床面から浮かせるように前記便器本体に固定されていてもよい。
便器洗浄タンクを床面に載置した状態で固定部材を便器本体に固定する場合は、床面の不陸の影響を吸収するために、固定部材と便器本体の高さを調整する機構や作業が必要となる。これに対し、本発明は、便器洗浄タンクを床面から浮かせているので、床面の不陸の影響を吸収するための高さ調整機構や作業が不要である。
【００１１】
本発明の水洗式大便器は、
前記防露材と前記固定部材が、インサート成形によって一体化されていてもよい。
この構成によれば、防露材と固定部材との隙間に浸水防止のためのシール手段を設ける必要がない。また、防露材を金型成形する工程で、防露材と固定部材を一体化させることができるので、作業工数が少なくて済む。
【００１２】
本発明の水洗式大便器は、
前記タンク本体を下面側から支えるように配され、前記固定部材が一体化されていて前記防露材を構成する下側断熱部材と、
前記タンク本体の上面側に被せられ、前記便器本体側の受け部に対して下から当接又は接近して対向するように配され、前記防露材を構成する上側断熱部材とを備えていてもよい。
この構成によれば、便器洗浄タンクは、固定部材を介して便器本体に固定された下側断熱部材と、タンク本体と、上側断熱部材を下から順に、単に重ねただけであっても、便器本体側の受け部によって浮き上がりが防止される。したがって、便器洗浄タンクは、下側断熱部材とタンク本体と上側断熱部材を単に重ねておいただけであっても、これらの部材が上下方向にガタ付く虞はない。
【００１３】
＜実施例１＞
以下、本発明を具体化した実施例１を図１〜図９を参照して説明する。本実施例１の水洗式大便器Ａは、便鉢部１０を有する便器本体Ｂと、便鉢部１０に吐水する洗浄水Ｗを貯留するため便器洗浄タンクＣとを備えて構成されている。洗浄水Ｗとしては、水道水の他に、井戸水や中水を利用することができる。
【００１４】
＜便器本体Ｂ＞
便器本体Ｂは、陶器製であって、便鉢部１０と、便鉢部１０の下流側に連通した便器排水管路１４と、便鉢部１０を全周に亘って包囲する周壁部２４とを一体に形成したものである。図３に示すように、便鉢部１０は、その上端周縁に沿って形成したリム通水路１１を有している。また、便鉢部１０は、封水面１２よりは下方であって、垂直方向上向きに開口した流出口１３を有している。
【００１５】
便器排水管路１４は、流出口１３に連続して形成され、後方に向けて斜めに下降する第１下降流路１５、この第１下降流路１５の下流側に連続して形成され、後方に向けて斜めに上昇する上昇流路１６、及びこの上昇流路１６の下流側に連続して形成され、下降する第２下降流路１７を有している。第２下降流路１７は下流端部が垂直方向下向きに延びている。第２下降流路１７の下端には、排水接続管１８の上端が接続されている。排水接続管１８の下端は、床面Ｆに引き出された排水管１９に接続されている。便器排水管路１４と排水接続管１８と排水管１９は、便鉢部１０内の貯留水、便鉢部１０に吐水された洗浄水Ｗ及び汚物を排出するための排水路２０を構成する。
【００１６】
便器本体Ｂは、便鉢部１０の封水面１２よりも下方の部分と、第１下降流路１５と、上昇流路１６とによって、封水部２１を形成している。便器本体Ｂには、第１下降流路１５と上昇流路１６に沿うように下方へ膨らむように湾曲した形状をなす断熱材２２が、封水部２１の下方を覆うように取り付けられている。この断熱材２２により、封水部２１の外表面に結露が生じるのを防止することができる。また、断熱材２２の最下端部は、後述する第２タンク４４の上側断熱部材５２に対して上から当接又は接近して対向するように位置する受け部２３となっている。
【００１７】
便器本体Ｂは上面の外周縁から下方に延びる周壁部２４を有している。この周壁部２４は、便器本体Ｂの上面の外周縁より外側に広がらずに下方に延びており、周壁部２４の下端は、その全周に亘って床面Ｆに接している。便器本体Ｂの内部には、便鉢部１０の下面における最下端よりも前方の領域と、周壁部２４の左右両側面壁における前端側領域とを繋げた形態の補強壁部２５が、一体に形成されている。
【００１８】
また、便器本体Ｂの内部には、便器排水管路１４の第２下降流路１７の外面と、周壁部２４の内面とを繋ぐ形態の支持壁部２６が、一体に形成されている。支持壁部２６は、全体としては概ね水平をなしている。支持壁部２６は、便鉢部１０から片持ち状に突出した形態の第２下降流路１７が、便器本体Ｂの製造工程で自重により下方へ変形するのを防止するための補強手段として形成したものである。支持壁部２６には、第２下降流路１７を挟むように配された左右一対の貫通孔（図示省略）が形成されている。図５に示すように、補強壁部２５の内面には、前側ブラケット２７が固定されている。また、図６に示すように、周壁部２４の後端部の内面には、後側ブラケット２８が固定されている。
【００１９】
便器本体Ｂの内部空間のうち便鉢部１０よりも後方の領域は、後部空間２９となっている。後部空間２９は、左右両側と後側が周壁部２４で区画されているとともに、上方及び下方に開放された形態である。後部空間２９内には、上記した支持壁部２６と、排水路２０を構成する第２下降流路１７及び排水接続管１８と、排水管１９が存在している。また、後部空間２９の後端部には、後側ブラケット２８が配置されている。後部空間２９は、便器本体Ｂの内部に形成されたスペースであるから、平面視において便器本体Ｂの形成領域の範囲内に収まっている。
【００２０】
便器本体Ｂ内の周壁部２４で囲まれたスペースのうち、便鉢部１０、第１下降流路１５、上昇流路１６及び断熱材２２よりも下方であって補強壁部２５よりも後方の領域は、デッドスペースとして存在する空間３０となっている。この空間３０は、左右両側が周壁部２４で区画され、前側が補強壁部２５で区画され、下方に開放されている。便鉢部１０の下方に空間３０が存在するのは、便座（図示省略）の適正な高さ、便鉢部１０内における適正な水位、封水部２１に貯留される水量等を勘案して便鉢部１０を設計したことによる。
【００２１】
便鉢部１０の下方の空間３０も、後部空間２９と同じく、便器本体Ｂの内部に形成されたスペースであるから、平面視において便器本体Ｂの形成領域の範囲内に収まっている。空間３０の前端部には、前側ブラケット２７が配置されている。この空間３０と上記の後部空間２９は、前後に並ぶように配置されて互いに連通し、便器洗浄タンクＣを収容するための収容空間３１を構成している。
【００２２】
＜便器洗浄タンクＣ＞
便器洗浄タンクＣは、構造的には、洗浄水Ｗを貯留するための貯水空間を上側の第１タンク４０と下側の第２タンク４４とに分割し、両タンク４０，４４を洗浄水Ｗの流動経路の沿うように直列に接続した構成となっている。また、便器洗浄タンクＣは、機能的には、洗浄水Ｗを貯留するためのタンク本体７６と、タンク本体７６に洗浄水Ｗを貯留したときに結露を防止するための防露材７７とを備えた構成となっている。便器洗浄タンクＣは、ポンプ８０と吐水路８３も備えている。
【００２３】
＜第１タンク４０＞
第１タンク４０は、合成樹脂材からなり、図１，２に示すように、洗浄水Ｗを貯留する第１貯水ケース４１と、第１貯水ケース４１を包囲する発泡樹脂材料からなる第１断熱部材４２とを備えて構成されている。第１貯水ケース４１はタンク本体７６を構成する。第１断熱部材４２は防露材７７を構成する。第１断熱部材４２により、第１タンク４０に洗浄水Ｗが貯留されたときの結露が防止される。第１タンク４０には、第１貯水ケース４１の上壁部の一部を円筒状に上方へ突出させた形態の流入管４３が形成されている。
【００２４】
流入管４３には、給水路（図示省略）の下流端が接続され、洗浄水Ｗが給水路を通って第１貯水ケース４１（第１タンク４０）内に流入するようになっている。第１タンク４０には、第１貯水ケース４１の底壁部の一部を円筒状に下方へ突出させた形態の第１接続管（図示省略）が一体に形成されている。第１タンク４０内の洗浄水Ｗは、第１接続管を通って第２タンク４４内に流出するようになっている。
【００２５】
＜第２タンク４４＞
第２タンク４４は、合成樹脂材からなり洗浄水Ｗを貯留する第２貯水ケース４５と、第２貯水ケース４５を包囲する発泡樹脂材料からなる第２断熱部材５１と、前側固定部材６４Ｆと、後側固定部材６４Ｒとを備えて構成されている。第２貯水ケース４５は、第１貯水ケース４１とともにタンク本体７６を構成する。第２断熱部材５１は、第１断熱部材４２とともに防露材７７を構成する。第２断熱部材５１により、第２タンク４４に洗浄水Ｗが貯留されたときの結露が防止される。前後両固定部材６４Ｆ，６４Ｒは、第２タンク４４を便器本体Ｂに固定する手段である。
【００２６】
図８に示すように、第２貯水ケース４５は、ケース本体部４６と、ケース本体部４６の後端から後方へ片持ち状に突出する左右一対の突出部４７Ｌ，４７Ｒとから構成されている。ケース本体部４６の上面は、凹んだ形状をなしている。図３に示すように、ケース本体部４６の下面には、後述するポンプ８０に接続される吸水部８１が取り付けられている。ケース本体部４６内の洗浄水Ｗは、吸水部８１においてポンプ８０により吸い上げられる。
【００２７】
図８に示すように、左右両突出部４７Ｌ，４７Ｒは、ケース本体部４６の周縁部４８よりも上方に突出した形となっている。第２貯水ケース４５の外側面には、後述する上側断熱部材５２と下側断熱部材５５を第２貯水ケース４５に対し高さ方向に位置決めするための位置決めリブ４９が形成されている。位置決めリブ４９は、ケース本体部４６の高さ方向における略中央位置に配され、ほぼ全周に亘って連続した形態である。
【００２８】
左側（図８において右手前側）の突出部４７Ｌには、その上面から上方へ突出する第２接続管５０が一体に形成されている。第２接続管５０内には、第１タンク４０の第１接続管（図示省略）が気密状に嵌合される。また、第１接続管と第２接続管５０は上下方向に相対移動可能である。第１接続管と第２接続管５０は、第１タンク４０（第１貯水ケース４１）と第２タンク４４（第２貯水ケース４５）を、連通状態で且つ上下に分離可能に連結する。連結管の内部は、給水路を通して便器洗浄タンクＣに供給された洗浄水Ｗが便鉢部１０側へ吐水される際に、洗浄水Ｗの流動経路に沿って第１タンク４０と第２タンク４４を直列に連結し、この直列連結経路に沿って洗浄水Ｗを流動させるための洗浄用流路として機能する。
【００２９】
第２断熱部材５１は、図１，２に示すように、上下に分割された上側断熱部材５２と下側断熱部材５５とによって構成されている。図７に示すように、上側断熱部材５２は、ケース本体部４６のうち位置決めリブ４９よりも上方の部分を上から覆う覆い部５３と、覆い部５３の後端から後方へ片持ち状に突出した形態であり、左右両突出部４７Ｌ，４７Ｒの外側面を個別に包囲する一対の筒状包囲部５４Ｌ，５４Ｒとを一体に形成して構成されている。覆い部５３の上面は、ケース本体部４６の上面に沿って凹んだ形状をなしている。上側断熱部材５２と第２貯水ケース４５は、ロック構造や結合構造を用いて離脱規制されているのではなく、単に上下に重ねただけの状態で組み付けられている。
【００３０】
図９に示すように、下側断熱部材５５は、上面が凹んだ形態の収容部５６と、収容部５６の後端から後方へ片持ち状に突出した形態の左右一つの分岐状支承部５７Ｌ，５７Ｒと、収容部５６の後端縁及び分岐状支承部５７Ｌ，５７Ｒの周縁から上方へ立ち上がる立上り部６０と、連結部６３とを一体に形成して構成されている。分岐状支承部５７Ｌ，５７Ｒも、収容部５６と同様、上面が凹んだ形状をなす。
【００３１】
収容部５６の内部空間と分岐状支承部５７Ｌ，５７Ｒの内部空間は、互いに連通した形態であって、上方に開放された収容室５８を構成する。収容室５８の外周縁には、上方へ立ち上がる壁状支持部５９が形成されている。収容室５８には、第２貯水ケース４５のうち位置決めリブ４９よりも下方の部分が収容される。第２貯水ケース４５を収容空間３１に収容した状態では、位置決めリブ４９が壁状支持部５９の上端縁に載置されることにより、第２貯水ケース４５が下側断熱部材５５に対し上下方向に位置決めされる。下側断熱部材５５と第２貯水ケース４５は、ロック構造や結合構造を用いて離脱規制されているのではなく、単に上下に重ねただけの状態で組み付けられている。
【００３２】
立上り部６０は、収容部５６の後端縁に沿って上方へ立ち上がる前壁部６１と、分岐状支承部５７Ｌ，５７Ｒの内側の側縁に沿って上方へ立ち上がる一対の側壁部６２とから構成されている。前壁部６１と側壁部６２は、平面視において略Ｕ字形をなすように連なっている。便器洗浄タンクＣを便器本体Ｂに取り付けた状態では、立上り部６０の内側には、排水接続管１８（排水路２０）が収容される。連結部６３は、左右両側壁部６２の後端縁の上端部同士を橋渡し状に連結した形態である。便器洗浄タンクＣを便器本体Ｂに取り付けた状態では、連結部６３は排水接続管１８（排水路２０）の後方に位置する。
【００３３】
前側固定部材６４Ｆは、所定形状の金属板材を曲げ加工して成形されたものである。図９に示すように、前側固定部材６４Ｆは、起立姿勢の壁状部６５と、壁状部６５の上端縁における左右両端部から前方へ略直角に突出する水平な一対のアーム部６６と、壁状部６５の下端縁部を後方へ略直角に屈曲した形態の水平な曲げ縁部６７とを一体に形成している。壁状部６５とアーム部６６の基端部には、部分的な切り起こしによって引掛け部６８が形成されている。アーム部６６の前端部には、貫通形態の取付孔６９が形成されている。
【００３４】
図５，９に示すように、前側固定部材６４Ｆのうち一対のアーム部６６の先端側部分を除いた部分は、壁状支持部５９を構成する前面壁５９Ｆの内部に埋設されている。埋設された前側固定部材６４Ｆは、壁状部６５、曲げ縁部６７及び引掛け部６８が前面壁５９Ｆの内部で引っ掛かりを生じることにより、前面壁５９Ｆ（下側断熱部材５５）と一体化されている。また、前側固定部材６４Ｆは、インサート成形によって前面壁５９Ｆと一体化しているので、前側固定部材６４Ｆと前面壁５９Ｆとの間（界面）には、水等の液体の浸入を許容するような隙間は存在していない。
【００３５】
後側固定部材６４Ｒは、所定形状の金属板材を曲げ加工することにより、前側固定部材６４Ｆとは異なる形状に成形されたものである。図９に示すように、後側固定部材６４Ｒは、左右一対の板状取付部７０と、連結板部７１と、左右一対の脚部７２と、左右一対の屈曲部７３とを一体に形成して構成されている。板状取付部７０は、左右方向に細長く水平に延びた形態であり、左右方向に間隔を空けて配置されている。連結板部７１は、左右方向に細長く延びた形態であり、後側固定部材６４Ｒの幅方向中央部に配置されている。連結板部７１は板状取付部７０とは直角をなし、連結板部７１の上端縁における左右両端部が、左右両板状取付部７０の前端縁に連なっている。
【００３６】
脚部７２は、板状取付部７０における連結板部７１とは反対側の端部から、下方へ略直角に細長く板状に延びた形態である。脚部７２の下端部には、水平な板状をなす屈曲部７３が略直角に連なっている。各板状取付部７０には、夫々、貫通形態の取付孔６９が形成されている。連結板部７１と屈曲部７３には、貫通形態の複数の引掛け孔７４が形成されている。脚部７２には、部分的に切り起こした形態の引掛け部６８が形成されている。
【００３７】
図６，９に示すように、後側固定部材４Ｒのうち板状取付部７０の一部を除いた大部分の領域が、下側断熱部材５５の連結部６３に埋設されている。埋設された後側固定部材６４Ｒは、その引掛け孔７４と引掛け部６８が連結部６３の内部で引っ掛かることにより、連結部６３（下側断熱部材５５）と一体化されている。後側固定部材６４Ｒは、前側固定部材６４Ｆと同様、インサート成形によって連結部６３と一体化しているので、後側固定部材６４Ｒと連結部６３との間（界面）には、水等の液体の浸入を許容するような隙間は存在していない。また、埋設された状態では、取付孔６９の形成されている板状取付部７０が、連結部６３の上面と下面に露出している。
【００３８】
第２貯水ケース４５と上側断熱部材５２と下側断熱部材５５を上下に重ねて組み付けると、第２タンク４４が構成される。第２貯水ケース４５のケース本体部４６は、上側断熱部材５２の覆い部５３と下側断熱部材５５の収容部５６によって上下に挟まれた状態で包囲される。第２貯水ケース４５の突出部４７Ｌ，４７Ｒは、夫々、上側断熱部材５２の筒状包囲部５４Ｌ，５４Ｒで外周を包囲されるとともに、下側断熱部材５５の分岐状支承部５７Ｌ，５７Ｒによって下面側を覆われる。
【００３９】
図１，３に示すように、第２タンク４４のうち、第２貯水ケース４５のケース本体部４６及び上側断熱部材５２の覆い部５３が形成されている領域には、その上面を滑らかに凹ませた形態の凹部７５が形成されている。凹部７５は、便器洗浄タンクＣを便器本体Ｂ内に配置した際に、便器排水管路１４の受け部２３の凸形状と対応する形状に成型されている。
【００４０】
図１，２に示すように、第２タンク４４のうち、突出部４７Ｌ，４７Ｒと筒状包囲部５４Ｌ，５４Ｒと分岐状支承部５７Ｌ，５７Ｒが合体した領域は、左右一対の分岐状貯水部７８Ｌ，７８Ｒとなっている。そして、一対の分岐状貯水部７８Ｌ，７８Ｒで挟まれた領域は、上下両方へ開放された形態の切欠部７９となっている。図３に示すように、便器洗浄タンクＣを便器本体Ｂ内に配置した状態では、排水接続管１８（排水路２０）が切欠部７９内に収容される。また、左右両分岐状貯水部７８Ｌ，７８Ｒは、排水接続管１８を左右両側から挟むように配置される。さらに、連結部６３と後側固定部材６４Ｒは、排水接続管１８よりも後方に配置される。
【００４１】
ポンプ８０は、図１，２に示すように、第２タンク４４の右側の分岐状貯水部７８Ｒの上方に配置されている。ポンプ８０の下面からは吸水管８２が下方へ延びており、吸水管８２は、第２タンク４４内に開口する吸水部８１に連通している。ポンプ８０の外側面に設けた吐出口（図示省略）には、吐水路８３の上流端が接続されている。吐水路８３は、図１及び図２に示すように、下流端側が二股の分岐管８４に分岐しており、その分岐管８４の先端の吐水口８５Ｌ，８５Ｒが、便鉢部１０のリム通水路１１に臨むように開口している。
【００４２】
便器洗浄タンクＣのうち第１タンク４０の上端部を除いた大部分は、便器本体Ｂの収容空間３１内に収納されている。具体的には、第２タンク４４のうち凹部７５が形成されている部分は、凹部７５を断熱材２２と干渉させることなく、空間３０内に収容される。したがって、空間３０は第２タンク４４を収容するためのスペースとして有効活用されている。第２タンク４４のうち凹部７５よりも後方の左右両分岐状貯水部７８Ｌ，７８Ｒは、後部空間２９のうち支持壁部２６よりも下方の領域内に収容され、排水路２０（排水用接続管）の左右両側に配置される。第２タンク４４の後端部は、切欠部７９を形成したことにより、排水路２０と干渉しないようになっている。
【００４３】
図５，６に示すように、収容空間３１内に収容された第２タンク４４は、ボルト８６により、便器本体Ｂに固定される。第２タンク４４を便器本体Ｂに組み付ける際には、便器本体Ｂに固定されている前側ブラケット２７と後側ブラケット２８を利用する。図５に示すように、第２タンク４４の前端側においては、前側固定部材６４Ｆのアーム部６６を前側ブラケット２７の下面に当接させ、アーム部６６の取付孔６９に下から挿通したボルト８６を、前側ブラケット２７にねじ込む。これにより、下側断熱部材５５の前端部が便器本体Ｂに固定される。
【００４４】
また、図６に示すように、第２タンク４４の後端側においては、後側固定部材６４Ｒは、その板状取付部７０を後側ブラケット２８の下面に当接させ、板状取付部７０の取付孔６９に下から挿通したボルト８６を、後側ブラケット２８にねじ込む。これにより、下側断熱部材５５の後端部が便器本体Ｂに固定される。以上により、第２タンク４４が便器本体Ｂに対して移動規制状態に取り付けられる。図３，５に示すように、第２タンク４４が便器本体Ｂに固定された状態では、第２タンク４４の全体が、床面Ｆから少し浮いた状態に保持される。つまり、第２タンク４４の底面全体と床面Ｆとの間には、僅かではあるが隙間８７が存在している。
【００４５】
第２タンク４４を便器本体Ｂ内に収容して固定した後、第１タンク４０とポンプ８０が支持壁部２６の上方から取り付けられる。第１タンク４０は、その第１接続管を第２タンク４４の第２接続管５０に嵌合させるようにして、第２タンク４４に組み付けられる。ポンプ８０の吸水管８２は、支持壁部２６の貫通孔（図示省略）を貫通して、第２タンク４４内の吸水部８１に連通している。吐水路８３はポンプ８０に接続され、吐水路８３の左右に分岐した吐水口８５Ｌ，８５Ｒは、便鉢部１０のリム通水路１１に臨むように配置される。第１タンク４０と第２タンク４４内に貯留されている洗浄水Ｗは、第２タンク４４からポンプ８０で吸い上げられ、吐水路８３を通って便鉢部１０内に吐水される。これにより、便鉢部１０内の汚物が排出されて、便鉢部１０内が洗浄される。
【００４６】
本実施例１の水洗式大便器Ａは、便鉢部１０が形成された便器本体Ｂと、便鉢部１０に吐水される洗浄水Ｗを貯留するための便器洗浄タンクＣとを備えている。この水洗式大便器Ａは、内部に洗浄水Ｗが貯留されるようになっていて便器洗浄タンクＣを構成するタンク本体７６と、タンク本体７６を包囲するように設けられて便器洗浄タンクＣを構成する防露材７７と、防露材７７と一体化された形態であって便器本体Ｂに固定される固定部材６４Ｆ，６４Ｒとを備えている。
【００４７】
この水洗式大便器Ａは、固定部材６４Ｆ，６４Ｒと防露材７７が一体をなしているので、固定部材６４Ｆ，６４Ｒを便器本体Ｂに固定すれば、防露材７７が便器本体Ｂに固定される。したがって、防露材７７を便器本体Ｂに組み付ける工程と固定部材６４Ｆ，６４Ｒを便器本体Ｂに組み付ける工程とを別々に行う場合に比べると、本実施例１は、工数が少ないので、作業性に優れている。
【００４８】
また、固定部材６４Ｆ，６４Ｒと防露材７７との間（界面）には、水の浸入を許容するような隙間が存在しないので、水が固定部材６４Ｆ，６４Ｒと防露材７７との隙間に浸入したままになることに起因する不具合を防止できる。しかも、防露材７７と固定部材６４Ｆ，６４Ｒを一体化させる手段として、インサート成形による方法が用いられているので、防露材７７と固定部材６４Ｆ，６４Ｒとの間に浸水防止のためのシール手段を設ける必要がない。さらに、インサート成形によれば、防露材７７を金型成形する工程で、防露材７７と固定部材６４Ｆ，６４Ｒを一体化させることができるので、防露材７７を金型成型したあとに固定部材６４Ｆ，６４Ｒを組み付ける場合に比べると、作業工数が少ない。
【００４９】
また、本実施例１の水洗式大便器Ａは、便器本体Ｂ内における便鉢部１０の下方に、便座の高さ、便鉢部１０の水面高さ、封水部２１の貯水量等の設計条件に起因する空間３０が、デッドスペースとして存在している。そこで、この空間３０に着眼し、この空間３０に便器洗浄タンクＣの一部を収容した。このように、デッドスペースを便器洗浄タンクＣの収容スペースとして有効活用しているので、水洗式大便器Ａを大型化しなくても便器洗浄タンクＣの貯水容量を増やすことが実現できた。
【００５０】
また、便器本体Ｂの収容空間３１を構成する後部空間２９の内部には、便鉢部１０に接続した排水路２０が配管されているので、便器洗浄タンクＣを便器本体Ｂ内に組み付けようとしたときに、排水路２０が邪魔になることが懸念される。そこで、本実施例１では、便器洗浄タンクＣのタンク本体７６に、後方へ片持ち状に突出した形態であって、排水路２０を左右から挟むように二股状に配される一対の分岐状貯水部７８Ｌ，７８Ｒを設けた。この一対の分岐状貯水部７８Ｌ，７８Ｒは、排水路２０を避けるように配置されるので、便器本体Ｂ内の空間を便器洗浄タンクＣの収容スペースとして有効利用できる。
【００５１】
また、一対の分岐状貯水部７８Ｌ，７８Ｒは片持ち状に突出した形態であるため、左右方向に開閉するように変形することが懸念される。しかし、本実施例１では、金属製の後側固定部材６４Ｒが、一対の分岐状貯水部７８Ｌ，７８Ｒの突出端部同士を連結する形態となっているので、分岐状貯水部７８Ｌ，７８Ｒが左右方向に変形する虞はない。
【００５２】
また、本実施例１の水洗式大便器Ａは、固定部材６４Ｆ，６４Ｒが、便器洗浄タンクＣを床面Ｆから浮かせるように便器本体Ｂに固定している。もし、便器洗浄タンクＣを床面Ｆに載置した状態で固定部材６４Ｆ，６４Ｒを便器本体Ｂに固定する場合は、床面Ｆの不陸の影響を吸収するために、固定部材６４Ｆ，６４Ｒと便器本体Ｂの高さ方向の位置ずれを調整するための機構や作業が必要となる。これに対し、本実施例１は、便器洗浄タンクＣを床面Ｆから浮かせているので、床面Ｆの不陸の影響を吸収するための高さ調整機構や作業が不要である。
【００５３】
また、本実施例１の便器洗浄タンクＣは、防露材７７を構成する下側断熱部材５５と、洗浄水Ｗを貯留するタンク本体７６（第２貯水ケース４５）と、防露材７７を構成する上側断熱部材５２とから構成されている。下側断熱部材５５は、タンク本体７６を下面側から支えるように配され、固定部材６４Ｆ，６４Ｒが一体化されている。上側断熱部材５２は、タンク本体７６の上面側に被せられ、便器本体Ｂ側の受け部２３に対して下から当接又は接近して対向するように配される。
【００５４】
このように、便器洗浄タンクＣは、固定部材６４Ｆ，６４Ｒを介して便器本体Ｂに固定された下側断熱部材５５と、タンク本体７６と、上側断熱部材５２を下から順に、単に重ねた形態である。しかし、便器洗浄タンクＣは、便器本体Ｂ側の受け部２３に対して下から当接又は接近して対向しているので、浮き上がりが防止され、上側断熱部材５２やタンク本体７６（第２貯水ケース４５）が上下方向にガタ付くのを抑えることができる。
【００５５】
＜他の実施例＞
本発明は上記記述及び図面によって説明した実施例に限定されるものではなく、例えば次のような実施例も本発明の技術的範囲に含まれる。
（１）上記実施例１では、便器洗浄タンクの一部のみを便鉢部の下方の空間内に収容したが、便器洗浄タンクの全体を便鉢部の下方の空間内に収容してもよい。
（２）上記実施例１では、便器洗浄タンクの一部を便鉢部の下方の空間以外に配置したが、便器洗浄タンクの全体を便鉢部の下方の空間とは異なる空間に配置してもよい。
（３）上記実施例１では、便器洗浄タンクをトイレの床面から浮いた状態で便器本体に固定したが、便器洗浄タンクをトイレ床面に載置した状態で便器本体に固定してもよい。
（４）上記実施例１では、防露材（下側断熱部材）と固定部材を隙間なく一体化させる手段としてインサート成形を用いたが、防露材と固定部材は、接着剤によって隙間なく一体化させてもよい。
（５）上記実施例１では、防露材を構成する第２断熱部材を上下２つに分割した形態としたが、第２断熱部材は、前後に分割する形態であってもよく、左右に分割した形態であってもよい。
（６）上記実施例１では、固定部材を下側断熱部材のみに設けたが、固定部材は、上側断熱部材のみに設けてもよく、上側断熱部材と下側断熱部材の両方に設けてもよい。
（７）上記実施例１では、下側断熱部材とタンク本体と上側断熱部材を単に重ねただけとしたが、下側断熱部材とタンク本体を結合してもよく、タンク本体と上側断熱部材を結合してもよく、下側断熱部材と上側断熱部材を結合してもよく、下側断熱部材とタンク本体と上側断熱部材を一括して結合してもよい。
【符号の説明】
【００５６】
Ａ…水洗式大便器
Ｂ…便器本体
Ｃ…便器洗浄タンク
Ｆ…床面
Ｗ…洗浄水
１０…便鉢部
２３…受け部
３０…空間
５２…上側断熱部材
５５…下側断熱部材
６４Ｆ…前側固定部材
６４Ｒ…後側固定部材
７６…タンク本体
７７…防露材
【図１】
2014114629.tif 000003
【図２】
2014114629.tif 000004
【図３】
2014114629.tif 000005
【図４】
2014114629.tif 000006
【図５】
2014114629.tif 000007
【図６】
2014114629.tif 000008
【図７】
2014114629.tif 000009
【図８】
2014114629.tif 000010
【図９】
2014114629.tif 000011